(57)【要約】【課題】情報を的確に伝達するための情報伝達方法、情報伝達システム及び情報送信装置を提供する。【解決手段】情報送信装置２０と情報受信装置３０とは、複数のカラーコード画像５０を含む動画を介して、情報伝達を行なう。情報送信装置２０の制御部２１は、環境条件に応じて、コード画像の出力形態を決定し、伝達対象情報を、コード画像にコード化可能な容量で分割したデータのコード画像を生成し、前記コード画像を、前記出力形態で順次、表示部２７に表示して出力する。情報受信装置３０の制御部３１は、撮影部３６を用いて動画コード画像を順次、撮影し、撮影したコード画像をデコードし、デコードしたコードを結合して、情報を復元して、表示部３７に表示して出力する。【選択図】図１
2018084921.tif 000002
【特許請求の範囲】
【請求項１】
送信装置から、撮影部を備えた受信装置に情報を伝達する情報伝達方法であって、
前記送信装置は、
環境条件に応じて、コード画像の出力形態を決定し、
伝達対象情報を、コード画像にコード化可能な容量で分割したデータのコード画像を生成し、
前記コード画像を、前記出力形態で順次、表示媒体に出力し、
前記受信装置は、
前記撮影部で、順次、撮影した画像からコード画像を抽出し、
前記抽出したコード画像をデコードして特定したデータを結合して、前記伝達対象情報を復元することを特徴とする情報伝達方法。
【請求項２】
前記環境条件として、前記受信装置における通信性能を用いることを特徴とする請求項１に記載の情報伝達方法。
【請求項３】
前記通信性能を、前記送信装置と前記受信装置との距離を用いて算出することを特徴とする請求項２に記載の情報伝達方法。
【請求項４】
前記表示媒体は、前記送信装置に設けられている表示部であって、
前記送信装置は、前記伝達対象情報の分割により生成した複数の前記コード画像を、前記表示部における異なるコード表示領域に、異なる切替時間で、順次、出力することを特徴とする請求項１〜３の何れか１項に記載の情報伝達方法。
【請求項５】
前記コード画像は、複数のカラー配置の組合せにより構成されたカラーコード画像であって、
前記受信装置は、
撮影画像において、基準色表示領域を特定し、
前記基準色表示領域における基準色と、予め記憶している基準色に関する情報とを用いて色補正変換情報を生成し、
前記色補正変換情報を用いて、前記コード画像をデコードすることを特徴とする請求項１〜４の何れか１項に記載の情報伝達方法。
【請求項６】
送信装置と、撮影部を備えた受信装置とを備えた情報伝達システムであって、
前記送信装置は、
環境条件に応じて、コード画像の出力形態を決定する形態決定部と、
伝達対象情報を、コード画像にコード化可能な容量で分割したデータのコード画像を生成するコード生成部と、
前記コード画像を、前記出力形態で順次、表示媒体に出力する出力部とを備え、
前記受信装置は、
前記撮影部で、順次、撮影した画像からコード画像を抽出し、
前記抽出したコード画像をデコードして特定したデータを結合して、前記伝達対象情報を復元するデコード部を備えたことを特徴とする情報伝達システム。
【請求項７】
情報を受信する受信装置に前記情報を送信する送信装置であって、
環境条件に応じて、コード画像の出力形態を決定する形態決定部と、
伝達対象情報を、コード画像にコード化可能な容量で分割したデータのコード画像を生成するコード生成部と、
前記コード画像を、前記出力形態で順次、表示媒体に出力する出力部とを備えることを特徴とする送信装置。
【発明の詳細な説明】
【技術分野】
【０００１】
本発明は、画像により情報を伝達するための情報伝達方法、情報伝達システム及び送信装置に関する。
【背景技術】
【０００２】
従来、機械に多量の情報を読み取らせるために、２次元コードが用いられている。この２次元コードを用いて、大容量の情報を伝達するための技術も検討されている（例えば、特許文献１参照。）。この文献においては、情報送信手段と情報受信手段とを備える情報伝送装置が記載されている。ここで、情報送信手段は、情報を分割して各分割情報を複数の二次元バーコードに変換し、複数の二次元バーコードの画像を動画像として順に表示器に表示する。また、情報受信手段は、情報送信手段の表示器に順に表示された複数の二次元バーコードを動画像として撮像し、各二次元バーコードを解読して情報を再生する。
【先行技術文献】
【特許文献】
【０００３】
【特許文献１】特開２００６−１３９３４９号公報
【発明の概要】
【発明が解決しようとする課題】
【０００４】
しかしながら、特許文献に記載の技術を用いて、画像により情報を伝達する場合、利用環境によっては、情報を確実に伝達することが困難な場合がある。例えば、表示部の大きさや周囲の状況によっては、画像を視認しにくい場合がある。
【０００５】
本発明は、上記課題に鑑みてなされ、その目的は、情報を的確に伝達するための情報伝達方法、情報伝達システム及び送信装置を提供することにある。
【課題を解決するための手段】
【０００６】
・上記課題を解決する情報伝達方法は、送信装置から、撮影部を備えた受信装置に情報を伝達する情報伝達方法であって、前記送信装置は、環境条件に応じて、コード画像の出力形態を決定し、伝達対象情報を、コード画像にコード化可能な容量で分割したデータのコード画像を生成し、前記コード画像を、前記出力形態で順次、表示媒体に出力し、前記受信装置は、前記撮影部で、順次、撮影した画像からコード画像を抽出し、前記抽出したコード画像をデコードして特定したデータを結合して、前記伝達対象情報を復元する。これにより、環境条件に応じて、コード画像の出力形態を決定するので、送信装置や受信装置の利用環境を考慮して、情報を的確に伝達することができる。
【０００７】
・上記情報伝達方法において、前記環境条件として、前記受信装置における通信性能を用いることが好ましい。これにより、受信装置の通信性能に応じた出力形態で、コード画像を出力するので、情報を的確に伝達することができる。
【０００８】
・上記情報伝達方法において、前記通信性能を、前記送信装置と前記受信装置との距離を用いて算出することが好ましい。これにより、送信装置から受信装置までの距離に応じて、コード画像の出力形態を特定するので、情報を的確に伝達することができる。
【０００９】
・上記情報伝達方法において、前記表示媒体は、前記送信装置に設けられている表示部であって、前記送信装置は、前記伝達対象情報の分割により生成した複数の前記コード画像を、前記表示部における異なるコード表示領域に、異なる切替時間で、順次、出力することが好ましい。これにより、利用環境に応じて適した切替時間を用いることができる。例えば、コード画像を視認しにくい環境では、長い切替時間で表示されるコード画像を用いて、情報伝達の確実性を担保する。一方、コード画像を視認し易い環境では、短い切替時間で表示されるコード画像を用いて、情報伝達の迅速性を優先することができる。
【００１０】
・上記情報伝達方法において、前記コード画像は、複数のカラー配置の組合せにより構成されたカラーコード画像であって、前記受信装置は、撮影画像において、基準色表示領域を特定し、前記基準色表示領域における基準色と、予め記憶している基準色に関する情報とを用いて色補正変換情報を生成し、前記色補正変換情報を用いて、前記コード画像をデコードすることが好ましい。これにより、周囲の照明状況等の影響がある場合にも、的確にコード画像の配色を特定して、デコードを行なうことができる。
【発明の効果】
【００１１】
本発明によれば、画像を用いて情報を的確に伝達することができる。
【図面の簡単な説明】
【００１２】
【図１】実施形態における情報伝達システムの概略構成図。
【図２】実施形態における情報伝達処理の処理手順を説明する流れ図。
【図３】実施形態におけるコード画像の出力形態の決定処理の処理手順を説明する流れ図。
【図４】実施形態において表示部に表示されるコード画像を説明する説明図。
【図５】変更例における情報伝達方法の説明図であって、（ａ）は情報送信装置の画面図、（ｂ）は情報受信装置の処理手順を説明する流れ図。
【発明を実施するための形態】
【００１３】
以下、図１〜図４を用いて、情報伝達方法、情報伝達システム及び送信装置を具体化した一実施形態を説明する。
図１に示すように、本実施形態の情報伝達システム１０は、情報送信装置２０と情報受信装置３０とにより構成される。ここでは、通信媒体として、複数のカラー要素（カラーセル）の組み合わせにより構成されたカラーコード画像５０を用いる。そして、情報送信装置２０は、複数のカラーコード画像５０が時系列に表示された画像（動画）を用いて、情報受信装置３０に情報伝達を行なう。情報送信装置２０及び情報受信装置３０としては、例えば、タッチパネルを備えたタブレット端末を用いることができる。
【００１４】
情報送信装置２０は、制御部２１、コード変換情報記憶部２２、入力部２６及び表示部２７を備える。入力部２６及び表示部２７は、例えばタッチパネルディスプレイを用いることができる。
入力部２６は、伝達する情報（伝達対象情報）を入力するために用いる。
表示部２７は、カラーコード画像５０を出力するために用いる表示媒体である。
【００１５】
制御部２１は、制御手段（ＣＰＵ、ＲＡＭ、ＲＯＭ等）を備え、後述する処理（管理段階、コード生成段階等の各処理）を行なう。そのために、記憶部に格納された情報送信プログラムを実行することにより、制御部２１は、管理部２１１及びコード生成部２１２として機能する。
【００１６】
管理部２１１は、コード画像の生成や表示等の制御に関する処理を実行し、出力部としても機能する。
コード生成部２１２は、伝達対象情報を分割して、順番を特定するための情報を用いてコード画像を生成する処理を実行する。この場合、コード生成部２１２は、環境条件に応じてコード画像の出力形態を決定する形態決定部としても機能する。本実施形態では、環境条件として、情報受信装置３０の撮影部の分解能と、情報送信装置２０から情報受信装置３０までの距離とを用いる。このため、コード生成部２１２は、情報受信装置３０の機種識別情報に、情報受信装置３０の分解能を関連付けた機種テーブルを記憶している。
【００１７】
更に、コード生成部２１２は、伝達対象情報を、コード画像にコード化可能な容量で分割し、分割して生成したコード画像を、予め記憶している切替時間で、順番に表示する処理を実行する。本実施形態では、コード画像として、複数のセルのそれぞれに対して、複数のカラーを割り当てることにより、配置と配色の組み合わせでコード化を行なうカラーコードを用いる。
コード変換情報記憶部２２は、伝達対象情報をコード画像に変換するコード化に用いる情報が記録されている。
【００１８】
一方、情報受信装置３０は、制御部３１、コード変換情報記憶部３３、撮影部３６及び表示部３７を備える。
【００１９】
撮影部３６は、情報送信装置２０の表示部２７に表示された動画を撮影するために用いる。
表示部３７は、撮影した動画に含まれるコード画像をデコードして取得した情報を表示するために用いる。
【００２０】
制御部３１は、制御手段（ＣＰＵ、ＲＡＭ、ＲＯＭ等）を備え、後述する処理（管理段階、デコード段階等の各処理）を行なう。そのために、記憶部に格納された情報受信プログラムを実行することにより、制御部３１は、管理部３１１及びデコード部３１２として機能する。
【００２１】
管理部３１１は、コード画像の撮影や、デコード、表示等の制御処理を実行する。本実施形態では、コード画像を含む動画を撮影する。
【００２２】
デコード部３１２は、撮影した動画（コード画像）に含まれる情報を特定し、コード画像の順番に応じて、各コード画像の情報を並び替えて、情報を復元する処理を実行する。
コード変換情報記憶部３３は、コード画像を情報（データ）に変換するデコードに用いる情報が記録されている。
【００２３】
＜情報伝達処理＞
次に、図２を用いて、上述した情報伝達システム１０における情報伝達処理について説明する。この情報伝達処理は、情報送信装置２０が実行する送信処理と、情報受信装置３０が実行する受信処理とから構成されている。
【００２４】
まず、情報送信装置２０の制御部２１は、伝達対象情報の取得処理を実行する（ステップＳ１−１）。具体的には、制御部２１の管理部２１１は、表示部２７に、情報受信装置３０に伝達する情報（伝達対象情報）を入力する情報入力画面を表示する。この情報入力画面には、伝達対象情報を入力する入力欄と実行ボタンとが含まれる。送信者は、入力部２６を介して、情報入力欄に、伝達したい内容を書き込み、実行ボタンを選択する。制御部２１の管理部２１１は、伝達対象情報を含む送信指示を取得する。
【００２５】
次に、情報送信装置２０の制御部２１は、コード画像の出力形態の決定処理を実行する（ステップＳ１−２）。具体的には、制御部２１のコード生成部２１２は、環境条件に応じて、コード画像の出力形態を決定する。本実施形態では、コード画像の出力形態として、コード画像の大きさ（コード表示面積）と、コード画像を構成するセル（カラー要素）の数（セル数）とを決定する。この処理の詳細については、後述する。
【００２６】
次に、情報送信装置２０の制御部２１は、伝達対象情報の分割処理を実行する（ステップＳ１−３）。具体的には、制御部２１のコード生成部２１２は、ステップＳ１−２において決定したセル数に応じて容量を特定する。そして、コード生成部２１２は、伝達対象情報を、特定した容量で分割した複数の分割情報を生成する。
【００２７】
次に、分割情報毎に、情報送信装置２０の制御部２１は、コード画像化処理を繰り返して実行する（ステップＳ１−４）。具体的には、制御部２１のコード生成部２１２は、分割情報のそれぞれを、コード変換情報記憶部２２に記憶された情報を用いて、コード画像に変換する。この場合、コード生成部２１２は、コード画像には、分割情報及び順序フラグを含めておく。この順序フラグは、情報を復元する際に用いるデータの並び順番を特定するために用いられる。具体的には、順序フラグには、最初のコード画像を指定する開始フラグや最後のコード画像を指定する終了フラグ、そして開始フラグ〜終了フラグ間の順番を指定するフラグが含まれる。
【００２８】
そして、情報送信装置２０の制御部２１は、連続的なコード表示処理を実行する（ステップＳ１−５）。具体的には、制御部２１の管理部２１１は、ステップＳ１−２において決定したコード表示面積で、ステップＳ１−４において生成したコード画像を順番に出力する。この場合、各コード画像を、予め定めた切替時間分ずつ表示することにより動画として出力する。
図４に示すように、表示部２７の画面５００のコード表示領域Ｄｓには、カラーコード画像５１，５２，５３，５４が、切替時間毎に、順番に表示されることが繰り返される。
【００２９】
この場合、情報を受信する情報受信装置３０の制御部３１は、動画撮影開始処理を実行する（ステップＳ２−１）。具体的には、制御部３１の管理部３１１は、情報送信装置２０の表示部２７のコード表示領域Ｄｓに表示された動画の撮影を開始する。
【００３０】
次に、情報受信装置３０の制御部３１は、動画におけるコード画像の特定処理を実行する（ステップＳ２−２）。具体的には、制御部３１のデコード部３１２は、撮影した動画に含まれるコード画像を特定する。
【００３１】
次に、情報受信装置３０の制御部３１は、デコード処理を実行する（ステップＳ２−３）。具体的には、制御部３１のデコード部３１２は、撮影画像において特定した各コード画像を、コード変換情報記憶部３３を用いてデコードする。これにより、コード画像から、分割情報と順序フラグを取得する。
【００３２】
そして、情報受信装置３０の制御部３１は、一連のコード画像を取得したか否かの判定処理を実行する（ステップＳ２−４）。具体的には、制御部３１のデコード部３１２は、取得した順序フラグを用いて、すべての順序フラグ（開始フラグ〜終了フラグ間のすべて）のコード画像を取得したか否かを判定する。
【００３３】
ここで、一連のコード画像を取得していないと判定した場合（ステップＳ２−４において「ＮＯ」の場合）、情報受信装置３０の制御部３１は、ステップＳ２−２以降の処理を実行する。
【００３４】
一方、一連のコード画像を取得したと判定した場合（ステップＳ２−４において「ＹＥＳ」の場合）、情報受信装置３０の制御部３１は、伝達対象情報の出力処理を実行する（ステップＳ２−５）。具体的には、制御部３１のデコード部３１２は、デコードしたデータを、順序フラグを用いて並べることにより復元した伝達対象情報を特定する。そして、制御部３１の管理部３１１は、特定した伝達対象情報を表示部３７に表示し、動画撮影を停止する。
【００３５】
＜コード画像の出力形態の決定処理＞
次に、図３を用いて、コード画像の出力形態の決定処理（ステップＳ１−２）について説明する。
【００３６】
まず、制御部２１のコード生成部２１２は、環境条件の取得処理を実行する（ステップＳ３−１）。具体的には、コード生成部２１２は、環境条件を入力する環境条件入力画面を、表示部２７に出力する。この環境条件入力画面には、送信先の情報受信装置３０の機種を入力する入力欄と、確定ボタンとが含まれている。
【００３７】
ここで、送信者は、情報受信装置３０の機種識別情報と、情報受信装置３０までの距離とを入力し、確定ボタンを選択する。制御部２１のコード生成部２１２は、機種テーブルを用いて、入力された機種識別情報に応じた情報受信装置３０の撮影部３６の分解能を取得する。
【００３８】
次に、制御部２１のコード生成部２１２は、環境条件に応じた出力形態の特定処理を実行する（ステップＳ３−２）。具体的には、コード生成部２１２は、情報受信装置３０の分解能及び距離に応じて、情報受信装置３０の撮影部３６の分解能で視認可能な最小セル面積を特定する。
次に、コード生成部２１２は、コード画像表示エリアにおいて、最小セル面積を用いて表示可能な最大数のセル数を特定する。
【００３９】
本実施形態によれば、以下のような効果を得ることができる。
（１）本実施形態において、情報送信装置２０の制御部２１は、伝達対象情報の分割処理、コード画像化処理、連続的なコード表示処理を実行する（ステップＳ１−３〜Ｓ１−５）。情報受信装置３０の制御部３１は、動画撮影開始処理、デコード処理、伝達対象情報の出力処理を実行する（ステップＳ２−１〜Ｓ２−５）。これにより、無線通信ができない環境においても、情報送信装置２０から情報受信装置３０に、伝達対象情報を的確に伝達することができる。
【００４０】
（２）本実施形態において、情報送信装置２０の制御部２１は、コード画像の出力形態の決定処理を実行する（ステップＳ１−２）。ここでは、環境条件に応じた出力形態の特定処理を実行する（ステップＳ３−２）。これにより、環境条件に応じて、コード画像の面積やカラー要素（セル）の数が特定されるので、伝達対象情報を的確に伝達することができる。
【００４１】
（３）本実施形態のコード画像化処理（ステップＳ１−４）において、制御部２１は、カラーコード画像を生成する。これにより、配置と配色の組み合わせでコード化を行なうカラーコードを用いるので、視認しやすい形態で情報を伝達することができる。
【００４２】
また、上記実施形態は、以下のように変更してもよい。
・上記実施形態では、情報送信装置２０の制御部２１は、連続的なコード表示処理を実行する（ステップＳ１−５）。ここでは、分割情報及び順序フラグを含めたコード画像を生成する。この場合、コード画像とともに、色補正に用いる基準色を、予め定めた基準色領域に表示するようにしてもよい。具体的には、情報受信装置３０の制御部３１に、基準色領域に表示されるべき基準色情報と、コード画像のセルに用いられる色情報とを記憶しておく。そして、情報受信装置３０の制御部３１は、動画におけるコード画像の特定処理（ステップＳ２−２）において、基準色の特定処理を実行する。この処理において、制御部３１は、動画において、コード画像の位置から基準色領域の位置を特定し、この基準色領域の色を特定する。そして、制御部３１は、動画において特定した基準色領域の色と、記憶している基準色情報とを比較して、記憶している基準色情報が、取得した基準色領域の色となるように、コード画像に用いられるセルの各色を補正したセル色チャートを生成する。
【００４３】
そして、制御部３１は、生成したセル色チャートの色のうち、コード画像に含まれるセルの各色が最も近い色を、セル色チャートにおいて特定し、セルの色を特定する。これにより、野外における夕日等、環境の明かりの影響をコード画像が受けた場合であっても、情報受信装置３０が、的確にコード画像の色を特定して、デコードすることができる。
【００４４】
・上記実施形態では、情報送信装置２０の制御部２１は、表示部２７の１つのコード表示領域Ｄｓに、連続的にコード画像を表示した。コード画像を表示するコード表示領域Ｄｓは、表示部２７において、一箇所だけでなく、複数の箇所としてもよい。例えば、分割情報に基づいて生成した複数のコード画像を、同時期に複数のコード表示領域に表示する。この場合、情報受信装置３０の制御部３１は、動画の１シーンに含まれる複数のコード画像を同時期に取得し、それぞれデコードを行なう。
【００４５】
更に、異なるコード表示領域に、同じ一連のコード画像を異なる切替時間で表示させるようにしてもよい。
具体的には、図５（ａ）に示すように、表示部２７の画面６００において、２つのコード表示領域Ｄ１，Ｄ２を設ける。ここで、例えば、コード表示領域Ｄ１には、コード画像を短時間で切り替えて表示し、コード表示領域Ｄ２には、コード表示領域Ｄ１よりも長い時間で、コード画像を切り替える。
【００４６】
そして、図５（ｂ）に示すように、情報受信装置３０の制御部３１は、ステップＳ２−１と同様に動画撮影開始処理（ステップＳ４−１）を実行し、コード表示領域の抽出処理を実行する（ステップＳ４−２）。具体的には、制御部３１は、表示部２７の画面６００において表示された２つのコード画像から、コード表示領域Ｄ１，Ｄ２を特定する。そして、制御部３１は、特定したコード表示領域毎に、同時に、以下の処理を実行する。
【００４７】
情報受信装置３０の制御部３１は、ステップＳ２−３及びＳ２−４と同様に、デコード処理（ステップＳ４−３）及び一連のコード画像を取得したか否かの判定処理（ステップＳ４−４）を実行する。そして、制御部３１は、２つのコード表示領域Ｄ１，Ｄ２のうち、一連のコード画像を取得した場合（ステップＳ４−４において「ＹＥＳ」の場合）には、ステップＳ２−５と同様に、伝達対象情報の出力処理を実行する（ステップＳ４−５）。なお、一連のコード画像を取得しなかった場合（ステップＳ４−４において「ＮＯ」の場合）には、コード表示領域の抽出処理（ステップＳ４−２）以降の処理を実行する。これにより、切替時間が短い動画６１で情報を復元できた場合には、迅速性を優先して伝達対象情報を出力することができる。また、切替時間が短い動画６１ではデコードできなかった場合には、切替時間がより長い動画６２を用いて情報を復元するので、確実性を優先して伝達対象情報を出力することができる。
【００４８】
また、情報送信装置２０の制御部２１は、各コード画像に、一連のコード画像を識別するためのグループ識別フラグを含ませてもよい。この場合、情報受信装置３０の制御部３１は、コード画像をデコードした場合、これに含まれるグループ識別フラグに応じて、どのグループに属するコード画像であるかを特定する。これにより、複数のグループに属するコード画像を同時期に出力した場合であっても、情報受信装置３０は、各コード画像をグループ毎に特定することができる。
【００４９】
・上記実施形態においては、情報受信装置３０の制御部３１は、すべてのコード画像をデコードした場合に、伝達対象情報の出力処理を実行する（ステップＳ２−５）。これに代えて、コード画像をデコードした時に表示可能な情報を抽出できた場合には、順次、情報を表示するようにしてもよい。例えば、情報送信装置２０は、順序フラグに代えて、分割情報を表示する表示位置に関するフラグを含めたコード画像を生成する。そして、情報受信装置３０は、コード画像をデコードして取得した表示位置において、分割情報を出力する。これにより、デコードに応じて順次、伝達対象情報を部分的に出力することができる。
【００５０】
・上記実施形態においては、情報送信装置２０は、コード画像の出力形態の決定処理（ステップＳ１−２）において、環境条件に応じてコード画像の要素（セル）の大きさとコード画像の面積を変更した。環境条件に応じて変更する出力形態は、要素の大きさやコード画像の面積に限定されるものではない。例えば、切替時間を変更してもよい。具体的には、視認しやすい環境条件が良い場合の基準切替時間に対して、環境条件が悪い場合には、切替時間を長くする。
【００５１】
また、環境条件として、情報受信装置３０の分解能と、情報受信装置３０までの距離を用いたが、その他の環境条件、例えば、照度や天候等の見え難さの指標となる条件を用いてもよい。この場合には、情報送信装置２０に撮影部を設ける。そして、この撮影部を用いて撮影した画像に基づいて、利用環境の環境条件を判定するようにしてもよい。例えば、この情報送信装置２０の撮影部を用いて、利用環境の明るさ情報を取得する。そして、視認しやすい環境条件（良好照度範囲）に対して、明るすぎる場合や暗すぎる場合は、視認しやすい出力態様を用いる。また、撮影画像に含まれる情報受信装置３０の画像に粉塵によるノイズが含まれている場合には、視認しやすい出力形態を用いる。この視認しやすい出力形態では、セル面積を大きくしたり、切替時間を長くしたりする。更に、情報送信装置２０の撮影部を用いて、情報受信装置３０自体を撮影し、距離を算出してもよい。
【００５２】
・上記実施形態において、情報送信装置２０は、複数のカラーコード画像５０を含む動画を介して、情報受信装置３０と情報伝達を行なう。情報伝達に用いられるコード画像は、カラーコード画像に限定されず、撮影によって取得できるコード画像であればよい。例えば、カラー要素ではなく、単色の模様からなるコード画像を用いてもよい。
【００５３】
・上記実施形態において、情報送信装置２０は、表示部２７としてタッチパネルディスプレイを用いた。情報送信装置２０がコード画像を出力する表示媒体は、表示部に限定されない。例えば、コード画像を、紙等の印刷媒体（表示媒体）に印刷してもよい。この場合には、利用者が複数の印刷媒体を、紙芝居のように切り替え、この様子を情報受信装置３０において撮影する。
また、複数のＬＥＤライトを格子状に配置した発光装置を表示媒体として用いてもよい。この場合には、大きなディスプレイを用いて、コード画像を表示することができる。
【００５４】
・上記実施形態では、情報送信装置２０（送信側のタブレット端末）から情報受信装置３０（受信側のタブレット端末）への情報伝達に用いる。情報伝達は、二つのタブレット端末間に限定されるものではない。より多くの端末間において、連続的に情報を伝達する場面にも用いてもよい。例えば、連続して走行する車両間で情報を伝達するようにしてもよい。具体的には、車のフロント部分に情報受信装置３０を取り付け、車のリア部分に情報送信装置２０を取り付けておく。そして、車両内において情報送信装置２０と情報受信装置３０を通信接続する。この場合、前方において撮影した画像により、前方車両からの伝達対象情報を取得し、ドライバーに伝達する。更に、この伝達対象情報に基づいて生成したコード画像を、リア部分の情報送信装置２０を用いて、後続車に伝える。これにより、前方車両からの情報（例えば、事故や渋滞等の情報）を後方車両に伝達することができる。
【符号の説明】
【００５５】
Ｄ１，Ｄ２，Ｄｓ…コード表示領域、１０…情報伝達システム、２０…情報送信装置、２１，３１…制御部、２２，３３…コード変換情報記憶部、２６…入力部、２７，３７…表示部、３０…情報受信装置、３６…撮影部、５０，５１，５２，５３，５４…カラーコード画像、６１，６２…動画、２１１，３１１…管理部、２１２…コード生成部、３１２…デコード部、５００，６００…画面。
【図１】
2018084921.tif 000003
【図２】
2018084921.tif 000004
【図３】
2018084921.tif 000005
【図４】
2018084921.tif 000006
【図５】
2018084921.tif 000007